(57)【要約】【課題】  機器間の接続状況により伝送路が周波数特性を有していても、ハウリングが発生し難い音声ハイブリッド回路を備えたインターホンシステムを提供する。【解決手段】  子機１と親機２とが共に音声ハイブリッド回路１１，２１を備えて、２線から成るケーブルＬ１で互いが接続されており、音声ハイブリッド回路１１，２１が、ケーブルＬ１に送出する音声信号の戻りを打ち消すために音声信号の逆位相の波形を生成する第２増幅器１５、第４増幅器２５を有すると共に、この増幅器１５，２５が音声周波数の少なくとも３周波数で独立して利得を変更できる利得変更部３０を有し、子機１及び親機２は、それぞれの利得変更部３０を制御する利得制御部１７，２７を有する。【選択図】  図１
2017098709.tif 000002
【特許請求の範囲】
【請求項１】
居住者を呼び出して通話する機能を備えた子機と、当該子機からの呼び出しに応答する機能を備えた親機とが共に音声ハイブリッド回路を備えて、２線から成るケーブルにより互いが接続されたインターホンシステムにおいて、
前記音声ハイブリッド回路が、前記ケーブルに送出する音声信号の戻りを打ち消すために前記音声信号の逆位相の波形を生成する反転増幅回路を有すると共に、
当該反転増幅回路は、音声周波数の少なくとも異なる３周波数の利得を独立して設定できる利得変更部を有し、
前記子機及び前記親機は、自身の前記利得変更部を制御する利得制御手段を有することを特徴とするインターホンシステム。
【発明の詳細な説明】
【技術分野】
【０００１】
本発明は、来訪者が居住者を呼び出して通話を実施できるインターホンシステムに関し、インターホン機器同士が２線から成るケーブルで接続されたインターホンシステムに関する。
【背景技術】
【０００２】
玄関等に設置されて来訪者が居住者を呼び出すための子機と、居室に設置されて子機からの呼び出しに居住者が応答するための親機とが２線から成るケーブルで接続されているインターホンシステムが普及している。
このような２線で接続されるシステムでは、送話／受話の信号を共通のケーブルで伝送するために２線／４線変換する音声ハイブリッド回路がそれぞれの機器に組み込まれている。
【０００３】
図３はこのハイブリッド回路を備えた従来のインターホンシステムを示し、子機１０１には子機音声ハイブリッド回路１１１が設けられ、親機１０２には親機音声ハイブリッド回路１２１が設けられている。音声ハイブリッド回路１１１，１２１は、２線／４線変換する際に共通するケーブルＬ１０で送話／受話音声を伝送することにより発生しやすいハウリングを防止する機能を備えており、図３に示すようにケーブルＬ１０に送出する音声信号の逆波形の信号を作る反転増幅回路１１５，１２５を有し、ケーブルＬ１０に送出する信号と、反転増幅回路１１５、１２５で作り出した信号を合成することにより、送出信号の戻りを打ち消してハウリングを防止した（例えば、特許文献１参照）。
【先行技術文献】
【特許文献】
【０００４】
【特許文献１】特開２０１１−３０１６１号公報
【発明の概要】
【発明が解決しようとする課題】
【０００５】
上記特許文献１は、設置した機器間の線路特性に合うよう反転増幅回路１１５，１２５の利得を調整してハウリングの防止を図ったが、信号伝送路の抵抗、接続する端末数により送出後の信号レベル、特に周波数特性が変化するため、特許文献１の技術では、全ての設置状況に対して戻り音声信号を打ち消すことが難しく、良好に打ち消しできない場合はハウリングが発生した。
【０００６】
図３の回路により具体的に説明すると、抵抗Ｒ１と抵抗Ｒ２の値が等しいとき、抵抗Ｒ３と抵抗Ｒ４の比をＲ３：Ｒ４＝１：２にすると戻り量は０になる。しかし、線路抵抗（ケーブルＬ１０の抵抗）ＲＬがあることで、例えば抵抗Ｒを抵抗Ｒ１に等しくすると、戻り量は０．１１となり０にならない。
このように、従来の音声ハイブリッド回路１１１，１２１は、線路抵抗ＲＬ等により完全に戻り量を０にすることはできないため、０に近づくよう抵抗Ｒ３，Ｒ４等の抵抗値を調整した。しかしながら、線路抵抗ＲＬに周波数特性があると、送出信号の周波数によっては戻り量が変わるため、抵抗Ｒ３，Ｒ４を調整するだけでは限界があった。
【０００７】
そこで、本発明はこのような問題点に鑑み、機器間の接続状況により信号伝送路が周波数特性を有していても、ハウリングが発生し難い音声ハイブリッド回路を備えたインターホンシステムを提供することを目的としている。
【課題を解決するための手段】
【０００８】
上記課題を解決する為に、請求項１の発明は、居住者を呼び出して通話する機能を備えた子機と、当該子機からの呼び出しに応答する機能を備えた親機とが共に音声ハイブリッド回路を備えて、２線から成るケーブルにより互いが接続されたインターホンシステムにおいて、音声ハイブリッド回路が、ケーブルに送出する音声信号の戻りを打ち消すために音声信号の逆位相の波形を生成する反転増幅回路を有すると共に、当該反転増幅回路は、音声周波数の少なくとも異なる３周波数の利得を独立して設定できる利得変更部を有し、子機及び親機は、自身の利得変更部を制御する利得制御手段を有することを特徴とする。
【発明の効果】
【０００９】
本発明によれば、反転増幅回路が増幅する音声信号の周波数特性を調整できるため、伝送路の周波数特性がフラットでなく、戻り音声信号レベルが周波数により変化しても、反転増幅回路の周波数特性をそれに合わせてハウリングが発生しないよう調整することが可能となり、良好なハウリング防止対策が可能となる。
【図面の簡単な説明】
【００１０】
【図１】本発明に係るインターホンシステムの一例を示し、要部である音声ハイブリッド回路を中心とした回路ブロック図である。
【図２】第２増幅器の説明図であり、（ａ）は回路ブロック図、（ｂ）はゲイン特性図である。
【図３】従来のインターホンシステムの音声ハイブリッド回路の説明図である。
【発明を実施するための形態】
【００１１】
以下、本発明を具体化した実施の形態を、図面を参照して詳細に説明する。図１は本発明に係るインターホンシステムの一例を示す要部回路ブロック図であり、音声ハイブリッド回路を中心に示している。１は玄関等に設置されて来訪者が居住者を呼び出して通話するための子機、２は子機１からの呼び出しに応答するための親機であり、両機器とも信号線を２線／４線変換する音声ハイブリッド回路１１、２１を備えており、２線から成るケーブルＬ１により両者は接続されている。
【００１２】
子機１は、通話するためのマイク１２及びスピーカ１３を有し、それぞれの信号線が音声ハイブリッド回路（子機音声ハイブリッド回路）１１に接続されている。子機音声ハイブリッド回路１１はマイク１２が集音して親機２に伝送される音声信号を増幅する第１増幅器１４と、この第１増幅器１４の出力を反転して増幅する第２増幅器１５とを有し、第１増幅器１４、ケーブルＬ１を介して来訪者の音声が親機２へ送信される。
【００１３】
一方、親機２からケーブルＬ１を介して送信された居住者の音声は、第２増幅器１５の出力と混合され、スピーカアンプ１６を介してスピーカ１３から報音される。
この第２増幅器１５は図２（ａ）に示す回路構成となっている。図２（ａ）に示すように、第２増幅器１５は利得変更部３０を有し、利得及びその周波数特性を変更可能に構成されており、利得制御部１７が接続されて利得の周波数特性が機器の設置環境に応じて調整可能となっている。この利得制御部１７は、例えばＤＳＰで構成される。
尚、子機１は呼出操作する呼出ボタンを有しているが省略してある。
【００１４】
また図２（ａ）に示すように、第２増幅器１５は反転増幅回路１５ａと、その出力を増幅する非反転増幅回路１５ｂを有し、利得変更部３０は両回路の間に設けられている。
利得変更部３０は、並列に配置されたｎ個の抵抗素子Ｒｃ１，Ｒｃ２・・・ＲｃｎのそれぞれにＲＬＣ共振回路から成る周波数設定回路が複数設けられて構成され、ｎ個の複数の周波数で個々に利得が変更可能となっている。例えば、ＲＬＣ共振回路が６回路設けられることで、６種類の周波数を中心に利得を調整できる。図２（ｂ）はこの第２増幅器１５が出力する周波数特性の一例を示している。
【００１５】
親機２の主要部も子機１と同様に構成され、通話するためのマイク２２、スピーカ２３を有し、それぞれの信号線が音声ハイブリッド回路（親機音声ハイブリッド回路）２１に接続されている。親機音声ハイブリッド回路２１は、マイク２２が集音して子機１に伝送される音声信号を増幅する第３増幅器２４と、この第３増幅器２４の出力を反転して増幅する第４増幅器２５とを有し、第３増幅器２４、ケーブルＬ１を介して居住者の音声が子機１へ送信される。
【００１６】
一方、子機１からケーブルＬ１を介して送信された来訪者の音声が、第４増幅器２５の出力と混合され、スピーカアンプ２６を介してスピーカ２３から報音される。
そして、第４増幅器２５は上記図２（ａ）に示す利得変更部３０を有し、利得及びその周波数特性を変更可能に構成されており、利得制御部２７が接続されて利得の周波数特性が機器の設置環境に応じて調整される。
また第４増幅器２５は反転増幅回路２５ａと、その出力を増幅する非反転増幅回路２５ｂを有し、利得変更部３０は両回路の間に設けられており、上記第２増幅器１５と同様にｎ個の複数の周波数で個々に利得が変更可能となっている。
尚、親機２は子機１からの呼び出しに応答する通話ボタンを有しているが省略してある。
【００１７】
このように構成された利得制御部１７，２７による利得の調整は、インターホンシステム施工後に以下の様に実施される。
調整は利得制御部１７，２７を調整モードにして行われる。調整は順次実施すれば良く、ここではまず親機音声ハイブリッド回路２１を調整する場合を説明する。親機２の利得制御部２７の調整モードへの移行は、例えばパーソナルコンピュータを親機２の所定の端子に接続して行っても良いし、親機２に設定ボタン（図示せず）を設けて実施しても良い。
【００１８】
調整モードに入ると、利得制御部２７は第４増幅器２５をまず利得１のフラットな周波数特性に設定する。その後、音声帯域（例えば１００Ｈｚから１０ｋＨｚ）のサイン波から成る調整用音声信号を周波数ステップさせて親機音声ハイブリッド回路２１の入力部（Ｑ１点）に送出し、各ステップ毎にＱ２点の戻り音声信号のレベルを測定する。また同時に、第４増幅器２５の利得変更部３０において、Ｑ１点に送出している周波数と同じ周波数に対応する利得を増減させ、利得増減操作により戻り音声信号が最小になるポイントで第４増幅器２５の利得を固定する。
【００１９】
この操作を周波数ステップさせながら繰り返し、設定可能な全ての周波数において第４増幅器２５の調整が終了したら調整モードを解除して親機２の調整は終了し、次に子機１の音声ハイブリッド回路１１の調整に入る。
子機１の調整の流れは親機２の場合と同様であり、利得制御部１７は第２増幅器１５をまず利得１のフラットな周波数特性に設定した後、音声帯域のサイン波から成る調整用音声信号を周波数ステップさせて子機音声ハイブリッド回路１１の入力部であるＰ１点に送出し、各ステップ毎に利得制御部１７はＰ２点の戻り音声信号のレベルを測定する。また同時に、送出している周波数と同じ周波数に対応する第２増幅器１５の利得を増減させる。そして、この増利得増減操作の際に、戻り音声信号が最小になるポイントで 第２増幅器１５の利得を固定する。
調整が終了したら調整モードを解除して、本来のインターホン動作に入る。この結果、全音声帯域で音声帰還量が最小になるように調整できる。
【００２０】
このように、反転増幅回路である第２増幅器１５及び第４増幅器２５が増幅する音声信号の周波数特性を調整できるため、ケーブルＬ１等の伝送路の周波数特性がフラットでなく、戻り音声信号レベルが周波数により変化しても、第２及び第４増幅器の周波数特性をそれに合わせてハウリングが発生しないよう調整することが可能となり、ハウリング防止対策が可能となる。
【００２１】
尚、上記実施形態では、利得を変更可能な周波数を例えば６種類としたが、少なくとも３種類の周波数で利得を変更可能とするだけでも、周波数特性がある戻り量に対してもハウリングの防止には有効である。
【符号の説明】
【００２２】
１・・子機、２・・親機、１１・・音声ハイブリッド回路、１４・・第１増幅器、１５・・第２増幅器（反転増幅回路）、１７・・利得制御部（利得制御手段）、２１・・音声ハイブリッド回路、２４・・第３増幅器、２５・・第４増幅器（反転増幅回路）、２７・・利得制御部（利得制御手段）、３０・・利得変更部、Ｌ１・・ケーブル。
【図１】
2017098709.tif 000003
【図２】
2017098709.tif 000004
【図３】
2017098709.tif 000005